(57)【要約】  車両のセンサまたはアクチュエータ（５０）のための接続コンタクトの形成方法であって、この方法は、少なくとも１つの電子部品が載置され開口部（１１５）を備えたプリント配線板（１１０）を用意するステップ（Ｓ１１０）と、開口部（１１５）にコンタクトブッシュ（１２０）を挿入するステップ（Ｓ１２０）と、少なくとも１つの部品とプリント配線板（１１０）とを、さらにコンタクトブッシュ（１２０）とプリント配線板（１１０）とを、１つの工程段階で共通にはんだ付けするステップ（Ｓ１３０）とを含む。
2021520648.tif 000002
【特許請求の範囲】
【請求項１】
車両のセンサまたはアクチュエータ（５０）のための接続コンタクトの形成方法において、
少なくとも１つの電子部品が載置され開口部（１１５）を備えたプリント配線板（１１０）を用意するステップ（Ｓ１１０）と、
前記開口部（１１５）にコンタクトブッシュ（１２０）を挿入するステップ（Ｓ１２０）と、
前記少なくとも１つの部品と前記プリント配線板（１１０）とを、さらに前記コンタクトブッシュ（１２０）と前記プリント配線板（１１０）とを、１つの工程段階で共通にはんだ付けするステップ（Ｓ１３０）と
を有することを特徴とする、
接続コンタクトの形成方法。
【請求項２】
前記共通のはんだ付けステップ（Ｓ１３０）はリフローはんだ付けプロセスである、
請求項１記載の方法。
【請求項３】
前記センサまたは前記アクチュエータ（５０）は、コンタクトピン（７０）によって電気的に接触接続可能であり、
前記コンタクトブッシュ（１２０）を挿入するステップ（Ｓ１２０）を実装機により実施し、挿入された前記コンタクトブッシュ（１２０）は、前記コンタクトピン（７０）に対するロック手段（１２２）を有する、
請求項１または２記載の方法。
【請求項４】
前記ロック手段（１２２）は、プレス嵌めクランプ技術を用いて前記コンタクトピン（７０）を保持するように、挿入された前記コンタクトブッシュ（１２０）内に形成されている、
請求項３記載の方法。
【請求項５】
前記コンタクトブッシュ（１２０）を挿入するステップ（Ｓ１２０）を実装機によって、該実装機が前記コンタクトブッシュ（１２０）を負圧により把持して前記開口部（１１５）に嵌め込むように実施する、
請求項３または４記載の方法。
【請求項６】
前記コンタクトブッシュ（１２０）は、負圧により把持可能とするために、特に紙から製造された仮のカバー（１２４）を備えた貫通開口部（１２１）を有しており、
前記共通のはんだ付けステップ（Ｓ１３０）後、前記仮のカバー（１２４）を取り外す、
請求項５記載の方法。
【請求項７】
前記プリント配線板を用意するステップ（Ｓ１１０）において、前記開口部（１１５）のところで両面にはんだ手段が形成されているプリント配線板（１１０）を用意する、
請求項１から６までのいずれか１項記載の方法。
【請求項８】
車両におけるセンサまたはアクチュエータ（５０）のための接続コンタクトを備えたプリント配線板において、
前記車両の前記センサまたは前記アクチュエータ（５０）へのコンタクトピン（７０）を収容して電気的接触接続を形成するように構成された、貫通開口部（１２１）を備えたコンタクトブッシュ（１２０）と、
前記コンタクトブッシュ（１２０）と前記プリント配線板（１１０）の金属化部との間のリフローはんだ付け接続部（１３０）、および１つまたは複数の部品と前記プリント配線板（１１０）との間のさらなるリフローはんだ付け接続部と
が設けられていることを特徴とする、
接続コンタクトを備えたプリント配線板。
【請求項９】
前記コンタクトブッシュ（１２０）は、特に紙材料から製造された仮のカバー（１２４）を備えた貫通開口部（１２１）を有しており、前記仮のカバー（１２４）は、負圧を利用した実装機による把持を可能にするように構成されている、
請求項８記載のプリント配線板。
【請求項１０】
車両制御ユニットにおいて、
請求項８または９記載のプリント配線板（１１０）と、
センサまたはアクチュエータ（５０）と、
前記プリント配線板（１１０）と前記センサまたは前記アクチュエータ（５０）との間の電気的接続を提供する、少なくとも１つのコンタクトピン（７０）と
が設けられていることを特徴とする、
車両制御ユニット。
【発明の詳細な説明】
【技術分野】
【０００１】
本発明は、プリント配線板に接続コンタクトを形成する方法に関し、特に、リフローはんだ付け（再溶融はんだ付け）を用いてプリント配線板上に形成されるコンタクトブッシュを介した、有用車両におけるアクチュエータまたはセンサの接触接続に関する。
【０００２】
車両の分野においては、センサ、アクチュエータおよびこれに類するものなど複数の部品が、１つのプリント配線板を介して電気的に接触接続され、この場合、プリント配線板上には相応の評価回路または制御回路のような電子部品が設けられており、これによってたとえばセンサデータが読み出され、もしくはアクチュエータ（たとえば電磁弁）が制御され、または他の機能が提供される。この目的でこれまで一般的であったのは、これらの部品をプリント配線板上に最初にはんだ付けすることであった。その後、プラスチック材料から製造された接触接続用ガイドバーがプリント配線板に取り付けられ、ロック手段が後から選択的なはんだ付けプロセスによりプリント配線板とはんだ付けされ、この場合、ガイドバーは、センサまたはアクチュエータへの対応するコンタクトピンのための挿入用ファネルおよび固定部材を含む。これらの接触接続用バーはプラスチックから製造されているので、それらを別個に／選択的にはんだ付けすることしかできない。
【０００３】
このため、センサおよびアクチュエータのための接続コンタクトをプリント配線板上に用意するためには、これまで２つの別個の作業ステップを実施しなければならず、接触接続をもっと簡単かつ効率的に構成するという要求がある。
【０００４】
上述の問題点のうちの少なくとも一部は、請求項１記載の方法、請求項８記載のプリント配線板、および請求項１０記載の車両制御ユニットによって解決される。従属請求項は、請求項１記載の方法または請求項８記載のプリント配線板の有利な実施形態に係わるものである。
【０００５】
本発明は、車両のセンサまたはアクチュエータ（またはこれに類する部品）を電気的に接触接続するために適した、接続コンタクトの形成方法に関する。この方法は以下のステップを含む。すなわち、少なくとも１つの電子部品が載置され（少なくとも１つの）開口部を備えたプリント配線板を用意するステップと、開口部にコンタクトブッシュを挿入するステップと、少なくとも１つの部品とプリント配線板とを、さらにコンタクトブッシュとプリント配線板とを、１つの工程段階で共通にはんだ付けするステップとを含む。アクチュエータをたとえば、可制御弁（たとえば電磁弁）とすることができる。共通のはんだ付けステップは特に、リフローはんだ付けプロセスである。
【０００６】
任意選択的に、コンタクトブッシュを挿入するステップは実装機により実施され、挿入されたコンタクトブッシュは、センサまたはアクチュエータを接触接続するためのコンタクトピンに対するロック手段を含む。たとえばロック手段を、プレス嵌め技術を用いて（たとえばプレス嵌めコンタクトを用いて）コンタクトピンを保持するように、挿入されたコンタクトブッシュ内に形成することができる。この目的でたとえば、弾性のフィンガを設けることができ、これによって確実な電気的接触接続がもたらされる。
【０００７】
任意選択的に、コンタクトブッシュの挿入が実装機により行われ、この実装機は、負圧を利用してコンタクトブッシュを把持し、開口部内に嵌め込む。たとえばコンタクトブッシュは、コンタクトピンのための貫通開口部を有することができ、この貫通開口部は、コンタクトブッシュを負圧によって把持する目的で、（たとえば紙から製造される）仮のカバーを含む。任意選択的に、共通のはんだ付け後、仮のカバーが取り外される。用語「一時的」は広く解釈されるべきであり、特に、プリント配線板および／または接続ブッシュおよび／またははんだ付け接続部を損傷させることなく機械的に取り外し可能な（たとえば引き抜き可能または打ち抜き可能な）、あらゆるカバーを含むものとする。
【０００８】
任意選択的に、プリント配線板を用意するステップにおいて、開口部のところで両面または片面にはんだ手段を有するプリント配線板が用意される。はんだ手段をたとえば、パッドの形態で開口部周囲に形成することができ、このはんだ手段は例示的なリフローはんだ付けプロセス中に溶融する。
【０００９】
本発明は、車両におけるセンサまたはアクチュエータのための接続コンタクトを備えたプリント配線板にも関する。このプリント配線板は、車両のセンサまたはアクチュエータへのコンタクトピンを収容して電気的接触接続を形成するように構成された、貫通開口部を備えたコンタクトブッシュを含む。これに加えこのプリント配線板は、コンタクトブッシュとプリント配線板の金属化部との間のリフローはんだ付け接続部、および１つまたは複数の部品とプリント配線板との間のさらなるリフローはんだ付け接続部とを含む。
【００１０】
任意選択的にコンタクトブッシュは、特に紙材料から製造される一時的なカバーを備えた貫通開口部を含み、その際にこの仮のカバーは、負圧を利用した実装機による把持を可能にするように構成されている。自明のとおり、コンタクトブッシュを貫通してコンタクトピンを延在させることができるように、貫通開口部は、仮のカバーの取り外し後に初めて、貫通した開口部を有する。
【００１１】
本発明は車両制御ユニットにも関し、この車両制御ユニットは、上述のように定義されたプリント配線板と、センサまたはアクチュエータと、プリント配線板とセンサまたはアクチュエータとの間の電気的接続を提供する、少なくとも１つのコンタクトピンとを備えている。
【００１２】
車両を、特に有用車両とすることができる。
【００１３】
リフローはんだ付けプロセスは、電気的接触接続のための公知の技術である。この場合、最初にはんだ材料がプリント配線板上に、たとえばコンタクトパッドの形態で形成される。これに続き、電子部品および接続ブッシュがプリント配線板上に載置される。これに続くはんだ付けにおいて（たとえば炉内で）加熱が行われ、その際にはんだ材料が溶融し、プリント配線板と表面上に配置された部品との間の、もしくは嵌め込まれた接続ブッシュへの電気的接続が形成される。このようにして、プリント配線板上のすべての部品への、および接続ブッシュへの電気的接続を、１つの工程で形成することができる。はんだ付けプロセス後、プリント配線板を車両において所望のポジションにねじ締結することができ、これと同時にコンタクトピンを接続ブッシュ内へ挿入し、そこにおいてばね座を介して固定することができる。
【００１４】
自明のとおり、当業者であれば、リフローはんだ付けプロセスを利用して形成されたはんだ付け接続を、明確に見分けることができる。たとえば、（共通の）リフローはんだ付けプロセスの利用は、リフローはんだ付けプロセスのために形成されることになるはんだパッドの残留物がプリント配線板のところに存在している、ということによって、形成されたプリント配線板において識別可能となる。しかも、慣用のはんだ付け方法のはんだ付けの継ぎ目は、リフローはんだ付けプロセスのはんだ付けの継ぎ目とは異なる。
【００１５】
本発明の実施例により一連の利点がもたらされる。たとえば、センサ／アクチュエータのためのコンタクト端子を用意するために、必要とされる作業ステップが最小限に抑えられる。このため、ガイドバーはもはや不要である。その代わりにコンタクトブッシュが用いられ、これをプリント配線板上に形成すべき電子部品と一緒にはんだ付けすることができる。このことは（たとえばリフローはんだ付けによる）共通のはんだ付けプロセスによって行われ、したがってその後、プリント配線板上には、電子部品だけでなくコンタクトブッシュも同様にはんだ付けされた状態となる。これにより、付加的な後続のはんだ付けプロセスが省略される。しかもプリント配線板へのコンタクトブッシュの実装を、実装機を介して自動的に行うことができる。実施例のさらなる利点は、実現可能なプリント配線板のデザインにあり、これによれば、センサ／アクチュエータへのコンタクト端子のためにごく僅かなスペースしか必要とされない（たとえば使用不可領域が僅かなレイアウト）。同様に実施例によって、プラスチックバーを用いた公知の大量生産の解決策に比べ、コストが格段に低減される。
【００１６】
種々の実施例に関する以下の詳細な説明および添付の図面から、本発明の実施例の理解が深められるが、それらの実施例は、それらにより本開示が特定の実施形態に限定されると解されるべきではなく、説明および理解のために用いられるにすぎない。
【図面の簡単な説明】
【００１７】
【図１】本発明の実施例による方法に関するフローチャートを示す図である。
【図２】実施例に従いプリント配線板に形成されたコンタクトブッシュと共に、プリント配線板を例示的に示す図である。
【図３】コンタクトピンを介してセンサ／アクチュエータへの電気的接触接続を可能にするコンタクトブッシュと共に、プリント配線板を例示的に示す図である。
【００１８】
図１には、本発明の実施例による方法に関するフローチャートが示されている。この方法は以下のステップを含む。すなわち、
・少なくとも１つの電子部品が載置され（少なくとも１つの）開口部を備えたプリント配線板を用意するステップＳ１１０、
・開口部にコンタクトブッシュを挿入するステップＳ１２０、および
・少なくとも１つの部品を、プリント配線板およびコンタクトブッシュと１つの工程段階で共通にはんだ付けするステップＳ１３０。
【００１９】
図２には、開口部１１５を備えたプリント配線板１１０が例示的に示されており、開口部１１５内にコンタクトブッシュ１２０が設けられている。コンタクトブッシュ１２０は、ロック手段１２２が内部に形成された貫通開口部１２１を含み、これによってコンタクトピン７０が固定され、したがって部品（アクチュエータ、センサ、弁など）への確実な電気的接続が形成される。ロック手段１２２は、たとえばフレキシブルに構成されたアーム１２３を有することができ、これらのアーム１２３は、コンタクトピン７０を挿入したときに変形し、予荷重力を介してコンタクトピン７０をコンタクトブッシュ１２０内に保持する。コンタクトブッシュ１２０はさらにファネルガイド１２６を含み、これによってコンタクトピン７０をコンタクトブッシュ１２０へ挿入しやすくなる。これに加えコンタクトブッシュ１２０は、コンタクトブッシュ１２０においてファネルガイド１２６とは反対側に、たとえば一時的に貫通開口部１２１を覆うカバー１２４を含み、これによってコンタクトブッシュ１２０を、たとえば真空吸引法を介して把持して、プリント配線板１１０の開口部１１５内に自動的に配置させることができる。コンタクトブッシュ１２０をプリント配線板１１０上にはんだ付けした後に、カバー１２４を取り外すことができ、このようにすればコンタクトピン７０を、コンタクトブッシュ１２０を貫通して延在させることができる。
【００２０】
コンタクトブッシュ１２０をプリント配線板１１０の開口部１１５内に固定するために、リフローはんだ付けプロセスを用いることができ、これをＳＭＤリフロープロセス（SMD = surface mounted devices; 表面実装部品）と一緒に実施することができ、これによってリフローはんだ付け接続部１３０が形成される。センサまたはアクチュエータを、コンタクトピン７０を介してプリント配線板１１０上の部品と電気的に接続できるように、リフローはんだ付け接続部１３０は、たとえば金属を有するコンタクトブッシュ１２０と、プリント配線板１１０の金属化部との間の電気的接触接続を形成する。リフローはんだ付けプロセスを実施する目的で、プリント配線板１１０は両面に相応のはんだ材料を有することができ、このはんだ材料はリフローはんだ付けプロセスにおいて液化し、それによってプリント配線板１１０とコンタクトブッシュ１２０との間の、もしくは部品への、リフローはんだ付け接続部１３０が形成される。たとえばこの目的で、プリント配線板１１０上において開口部１１５の周囲に、約５μｍ厚のすず層を形成することができ、次いでこの層によってその後、コンタクトブッシュ１２０への電気的はんだ付け接触接続部１３０が形成される。かくして、コンタクトブッシュ１２０に対するリフローはんだ付けプロセスは、従来の接触接続法において利用されるような、ガイドバー内でのプリント配線板への付加的なばね接触接続に代わるものである。同様に可能であるのは、自動ＳＭＴ実装（SMT=surface-mount technology 表面実装技術）において実装機によりコンタクトブッシュ１２０が開口部１１５内に嵌め込まれる、ということである。
【００２１】
開口部１１５はたとえば、２〜４ｍｍまたは約２．８ｍｍの直径を有することができる。コンタクトブッシュ１２０内部の貫通開口部１２１はたとえば、２〜３ｍｍまたは約２．５ｍｍの直径を有することができ、さらにコンタクトピン７０は、約１〜２ｍｍの直径を有することができる。しかも、開口部１１５の周囲において（プリント配線板１１０の片面または両面に）コンタクトパッドを形成することができ、これを開口部１１５の周囲に約５ｍｍの幅で延在させることができ、これは相応のはんだ材料を有する（たとえばすずから製造された５μｍ厚の層）。
【００２２】
図３には、例示的にプリント配線板１１０が示されており、このプリント配線板１１０はコンタクトピン７０を介して、センサ／アクチュエータ５０への電気的接触接続を形成する。プリント配線板１１０は、有用車両において（たとえば制御ユニットにおいて）アクチュエータまたはセンサ５０のポジションに、たとえば固定用ねじ８０を用いてねじ固定されている。機械的な固定を、固定用ねじ８０ではなくプレス嵌め技術によっても実現することができる。このため、コンタクトピン７０がひとりでに滑り落ちてしまうことがない。したがってコンタクトブッシュ１２０内のロック手段１２２は、滑り出てしまうのを阻止する必要はないが、特に電気的接触接続を保証しなければならない。このことを、コンタクトフィンガ１２３の相応のばね力によって達成することができる。プリント配線板１１０は、図２または図３には示されていない電子部品を含む。それらはたとえば、アクチュエータまたはセンサ５０の制御を提供し、もしくは評価ユニットを含む。
【００２３】
実施例の重要な利点とは、プリント配線板１１０上に電子部品を固定するために、さらにセンサまたはアクチュエータ５０へのコンタクト端子の接触接続を形成するために、ただ１つのはんだ付けプロセスだけしか必要とされない、ということである。しかもブッシュ１２０を自動的に、たとえば実装機によって嵌め込むことができ、この場合、たとえば真空吸引法を利用することができる。コンタクトブッシュ１２０はたとえばロック手段１２２を有することができ、このロック手段１２２は、センサおよび／またはアクチュエータに対するコンタクトピン７０を、プレス嵌め接続／クランプ接続を用いることで保持することができる。
【００２４】
明細書、特許請求の範囲および図面に開示されている本発明の特徴は、単独でも任意の組み合わせでも、本発明を実現するために重要なものとなり得る。
【符号の説明】
【００２５】
５０  アクチュエータ、センサなど
７０  コンタクトピン
８０  固定用ねじ
１１０  プリント配線板
１１５  プリント配線板の開口部
１２０  接続ブッシュ
１２１  貫通開口部
１２２  ロック手段
１２３  変形可能なフィンガ
１２４  背面側の仮のカバー
１２６  ファネルガイド
１３０  リフローはんだ付け接続部
【図１】
2021520648.tif 000003
【図２】
2021520648.tif 000004
【図３】
2021520648.tif 000005
【国際調査報告】
2021520648.tif 000006
2021520648.tif 000007
2021520648.tif 000008
2021520648.tif 000009